(57)【特許請求の範囲】
【請求項１】
ヘッド本体のフェース側にバック側へ窪んだ凹所を形成し、この凹所に衝撃吸収材を配置し、ヘッド本体に衝撃吸収材に裏面のほぼ全面が当接するようにフェース部材を取付けたアイアンタイプのゴルフクラブヘッドにおいて、
前記凹所は、トップエッジ（１Ａ）側からソール（１Ｂ）側にかけてフェース部材（４）の裏面から３ｍｍ程度の深さに形成された浅い凹所（２）と、ソール（１Ｂ）側にフェース部材（４）の裏面から５ｍｍ程度の深さに形成された凹所（２Ａ）とから成り、
前記衝撃吸収材（３）もトップエッジ（１Ａ）側よりもソール（１Ｂ）側が厚く形成され、
前記フェース部材（４）は純鉄から形成されていることを特徴とするゴルフクラブヘッド。
【請求項２】
ヘッド本体（１）を軟鉄で形成し、フェース部材（４）の厚さを２ｍｍとしたことを特徴とする請求項１に記載のゴルフクラブヘッド。
【発明の詳細な説明】
【０００１】
【発明の属する技術分野】
この発明は、アイアンタイプのゴルフクラブヘッドに関する。
【０００２】
【従来の技術】
従来のゴルフクラブヘッドとしては、実開昭５８−１６６３６５号公報に記載のものが知られている。これは、図４に示すように、ヘッド本体１０のフェース面１１側にソール面１２側に向け先締まりのテーパ状厚さ分布を有する緩衝材１３から成る中間層が介在されたものである。そして、ボールがフェース面１１の上部に当たると、打球の速度が小さくなる反面、射角が大きくなり、一方ボールがフェース面１１の下部に当たると、打球の速度は大きくなるが、射角が小さくなるため、ボールの飛距離は平均的に安定し、これによって初心者でもボールを理想的な位置に飛ばすことができるようになっている。
【０００３】
【発明が解決しようとする課題】
従来のゴルフクラブヘッドは、初心者の飛距離を安定させようとするものであるが、上級者にとっては、特にショートアイアンでは距離の調節がうまく図れるクラブを必要とし、従来のように少しトップ気味にボールを打ってしまったときにボールが飛びすぎてしまうのでは、スコアアップを図ることができない。上級者にとっては、ショートアイアンは、フルショットしても飛ばないクラブの方が望ましい。また、ダフって距離が出ない場合よりも、トップ気味、すなわちフェース面の下部にボールを当てたときに距離が出すぎてグリーンオーバーすることの方がスコアをまとめる上では好ましくない。
【０００４】
そこで、この発明は、フルショットをしても、さらにはトップ気味でショットをしても距離の出ないゴルフクラブヘッドを提供することを目的とする。
【０００５】
【課題を解決するための手段】
上述の目的を達成するため、この発明は、ヘッド本体のフェース側にバック側へ窪んだ凹所を形成し、この凹所に衝撃吸収材を配置し、ヘッド本体に衝撃吸収材に裏面のほぼ全面が当接するようにフェース部材を取付けたアイアンタイプのゴルフクラブヘッドにおいて、前記凹所は、トップエッジ側からソール側にかけてフェース部材の裏面から３ｍｍ程度の深さに形成された浅い凹所と、ソール側にフェース部材の裏面から５ｍｍ程度の深さに形成された凹所とから成り、前記衝撃吸収材もトップエッジ側よりもソール側が厚く形成され、前記フェース部材は純鉄から形成されているものである。
【０００６】
【発明の実施の形態】
以下に、この発明の好適な実施例を図面を参照にして説明する。
【０００７】
図１はアイアンタイプのゴルフクラブヘッドの図２におけるＡ−Ａ線断面図であり、ヘッド本体１のフェース側にバック側へ窪んだ凹所２を形成し、この凹所２に衝撃吸収材３を配置し、ヘッド本体１に衝撃吸収材３に裏面のほぼ全面が当接するようにフェース部材４を取付けてある。この実施例ではヘッド本体１を軟鉄を鍛造して製造し、フェース部材４は厚さ２mmの純鉄を使用した。フェース部材４に純鉄を使用すると打感がソフトになる。このフェース部材４とヘッド本体１とはエポキシ系の接着剤で接着される。接着剤はフェース部材４の外周縁と凹所２の内周縁とを接着する。また、凹所２はトップエッジ１Ａ側よりもソール１Ｂ側の方が深く形成されている。この深い凹所を符号２Ａで示す。この深い凹所２Ａの深さはフェース部材４の裏面から５mm程度とした。浅い方の凹所２は３mm程度とした。
【０００８】
図３は衝撃吸収材３及びフェース部材４を取付ける前のヘッド本体１のフェース面から見た図であり、凹所２と深い凹所２Ａを示す。衝撃吸収材３としてはソルボセンイ（商標）等が好適に使用できる。また、ヘッド本体１は軟鉄鍛造製のものを用いたが、ステンレスやその他の金属材料あるいは繊維強化樹脂材料であってもよい。また、フェース部材４としては純鉄を用いたが、その他の金属材料や繊維強化樹脂材料であってもよい。この発明のアイアンタイプのゴルフクラブヘッドは、特にサンドウェッジやピッチングウェッジ等のアプローチ用のショートアイアンに適用して好適なものである。さらに、ヘッド本体１へのフェース部材４の取付方法は、図示した例のみならず、種々の取付手段が採用可能であるが、衝撃吸収材２の性能をより生かすためはフェース部材４の裏面全体が衝撃吸収材３に密着するのが好ましい。
【０００９】
このように構成された例えばサンドウェッジでボールを正確に捉えてフルショットした場合でも５０ヤード以内しか飛ばず、少しトップ気味にボールをヒットしてもボールの打点の裏側に衝撃吸収材３が存在する限り飛び過ぎる恐れはなくなる。したがって、従来のサンドウェッジに比べて飛ばないクラブとなり、振り幅の調節により５０ヤード以内の距離を正確に打ち分けることが可能なものとなる。
【００１０】
【発明の効果】
以上説明したように、この発明によれば、ヘッド本体のフェース側にバック側へ窪んだ凹所を形成し、この凹所に衝撃吸収材を配置し、ヘッド本体に衝撃吸収材に裏面のほぼ全面が当接するようにフェース部材を取付けたアイアンタイプのゴルフクラブヘッドにおいて、前記凹所は、トップエッジ側からソール側にかけてフェース部材の裏面から３ｍｍ程度の深さに形成された浅い凹所と、ソール側にフェース部材の裏面から５ｍｍ程度の深さに形成された凹所とから成り、前記衝撃吸収材もトップエッジ側よりもソール側が厚く形成され、前記フェース部材は純鉄から形成されているので、フェース部材でボールをヒットする限り、衝撃吸収材がフェース部材の衝撃を吸収し、打ち出されたボールの速度は減速され、結果としてフルショットしても飛ばないゴルフクラブヘッドとなる。また、凹所はトップエッジ側よりもソール側の方が深く形成され、衝撃吸収材もトップエッジ側よりもソール側が厚く形成されているので、トップ気味にボールを打った場合でも、ボールがフェース部材に当たり、その打点の裏側に衝撃吸収材が存在する場合には、距離が出すぎてグリーンオーバーしてスコアを崩すような恐れも少なくなる。さらに、フェース部材を純鉄から形成してあるため、打感が柔らかくなる。
【図面の簡単な説明】
【図１】この発明の好適な実施例を示す図２のＡ−Ａ線断面図。
【図２】フェース面側から見た正面図。
【図３】ヘッド本体をフェース側から見た正面図。
【図４】従来例を示す断面図。
【符号の説明】
１  ヘッド本体
２  凹所
３  衝撃吸収材
４  フェース部材
【図１】
0004079464.tif 000002
【図２】
0004079464.tif 000003
【図３】
0004079464.tif 000004
【図４】
0004079464.tif 000005